(57)【要約】【課題】  精算用ICコインと販売用ICコインの媒体処理装置を共用しつつ、異常処理などにより精算用ICコインと販売用ICコインとが同時に排出口に排出されないようにする。【解決手段】  制御部１２３は、センサ１２２により精算用ICコイン投入口２５に精算用ICコインが投入されたことを検出すると共に、紙幣処理装置６３の紙幣投入口に設けられた投入センサ６３ａにより販売用ICコインを購入するための紙幣が投入されたことを検出する場合、それらの検出タイミングが、タイマ１２３ａで計測される所定の時間より短く、ほぼ同時であるとみなせるとき、媒体処理装置６２を制御して、精算用ICコインを経路Ｌ４を介して排出口２６に排出させると共に、紙幣処理装置６３を制御して、投入された紙幣を紙幣返却口より返却させる。本発明は、ICコインの精算販売機に適用することができる。【選択図】      図１０
2007025847.tif 000002
【特許請求の範囲】
【請求項１】
精算用媒体の精算金額情報を読み取り、前記精算金額情報が読み取られた精算用媒体を回収する、前記精算用媒体の精算金額情報を読み取らず排出する、または前記精算用媒体を保持すると共に、販売用媒体に販売金額情報を記録し、前記販売金額情報が記録された販売用媒体を排出する、または前記販売用媒体を保持する媒体処理部と、
前記精算用媒体を投入する投入部と、
前記販売金額の紙幣を投入する紙幣投入部と、
前記精算用媒体を前記媒体処理部に誘導する第１のシュータと、
前記販売用媒体を前記媒体処理部に誘導する第２のシュータと、
前記販売金額情報の販売金額を選択する選択部と、
前記選択手段により選択された販売金額と、前記紙幣投入部により投入された金額とに対応して釣銭の紙幣を返却するか、または、前記精算用媒体の精算金額の紙幣を返却する紙幣返却部とを備え、前記第１のシュータおよび第２のシュータは、前記媒体処理部に至る経路において集合している媒体精算販売装置の媒体精算販売方法において、
前記紙幣投入部に紙幣が投入されたか否かを検出する紙幣投入検出ステップと、
前記投入部に前記精算用媒体が投入されたか否かを検出する精算用媒体投入検出ステップと、
前記選択部により販売金額が選択されたか否かを検出する販売金額選択検出ステップと、
前記媒体処理部において、前記販売用媒体に販売金額が記録されたか否かを検出する記録検出ステップと、
前記紙幣投入検出ステップ、精算用媒体投入検出ステップ、販売金額選択検出ステップ、および記録検出ステップのそれぞれの検出結果に基づいて、前記媒体処理部を制御する制御ステップと
を含む媒体精算販売方法。
【請求項２】
前記販売金額選択検出ステップで、前記選択部により販売金額が選択されたことが検出されず、前記紙幣投入検出ステップで、前記紙幣投入部に紙幣が投入されたことが検出され、かつ、前記精算用媒体投入検出ステップで、前記投入部に前記精算用媒体が投入されたことが検出された場合、前記制御ステップは、前記媒体処理部を制御して、前記精算用媒体の前記精算金額情報を読み取らず排出させた後、前記精算用媒体が取り出されたことが確認され、前記販売用媒体に販売金額情報を記録したとき、前記販売金額情報が記録された販売用媒体を排出させるように制御する
請求項１に記載の媒体精算販売方法。
【請求項３】
前記紙幣返却部が、前記選択手段により選択された販売金額と、前記紙幣投入部により投入された金額とに対応して釣銭の紙幣を返却する場合、前記釣銭の紙幣が抜き取られたか否かを検出する釣銭抜取検出ステップをさらに含み、
前記釣銭抜取検出ステップにより前記釣銭の紙幣が抜き取られたとき、前記精算用媒体が取り出されたことが確認されたものとみなされる
請求項２に記載の媒体精算販売方法。
【請求項４】
前記販売金額選択検出ステップで、前記選択部により販売金額が選択されたことが検出され、前記紙幣投入検出ステップで、前記紙幣投入部に紙幣が投入されたことが検出され、前記前記精算用媒体投入検出ステップで、前記投入部に前記精算用媒体が投入されたことが検出され、かつ、前記記録検出ステップで、前記媒体処理部において、前記販売用媒体に販売金額が記録されたことが検出されていない場合、前記制御ステップは、前記媒体処理部を制御して、前記販売用媒体、および前記精算用媒体を保持するように制御する
請求項１に記載の媒体精算販売方法。
【請求項５】
前記制御ステップは、前記媒体処理部を制御して、前記販売用媒体、および前記精算用媒体を保持するように制御すると共に、エラーが発生したことを発報させる
請求項４に記載の媒体精算販売方法。
【請求項６】
前記販売金額選択検出ステップで、前記選択部により販売金額が選択されたことが検出され、前記紙幣投入検出ステップで、前記紙幣投入部に紙幣が投入されたことが検出され、前記精算用媒体投入検出ステップで、前記投入部に前記精算用媒体が投入されたことが検出され、かつ、前記記録検出ステップで、前記媒体処理部において、前記販売用媒体に販売金額情報が記録されたことが検出された場合、前記制御ステップは、前記媒体処理部を制御して、販売金額情報が記録された前記販売用媒体を排出させた後、前記精算用媒体を保持させるように制御する
請求項１に記載の媒体精算販売方法。
【請求項７】
前記制御ステップは、前記媒体処理部を制御して、販売金額情報が記録された前記販売用媒体を排出させた後、前記精算用媒体を保持させるように制御すると共に、エラーが発生したことを発報させる
請求項６に記載の媒体精算販売方法。
【請求項８】
前記制御ステップは、前記エラーがリセットされた場合、前記媒体処理部を制御して、保持されている前記精算用媒体を排出させる
請求項７に記載の媒体精算販売方法。
【請求項９】
前記紙幣投入検出ステップで、前記紙幣投入部に紙幣が投入されたことと、前記前精算用媒体投入検出ステップで、前記投入部に前記精算用媒体が投入されたこととが同時、または、略同時に検出された場合、前記制御ステップは、前記媒体処理部を制御して、前記精算用媒体を排出させる用に制御すると共に、前記紙幣返却部を制御して、前記紙幣投入部に投入された紙幣を返却させるように制御する
請求項１に記載の媒体精算販売方法。
【請求項１０】
精算用媒体の精算金額情報を読み取り、前記精算金額情報が読み取られた精算用媒体を回収する、前記精算用媒体の精算金額情報を読み取らず排出する、または前記精算用媒体を保持すると共に、販売用媒体に販売金額情報を記録し、前記販売金額情報が記録された販売用媒体を排出する、または前記販売用媒体を保持する媒体処理部と、
前記精算用媒体を投入する投入部と、
前記販売金額の紙幣を投入する紙幣投入部と、
前記精算用媒体を前記媒体処理部に誘導する第１のシュータと、
前記販売用媒体を前記媒体処理部に誘導する第２のシュータと、
前記販売金額情報の販売金額を選択する選択部と、
前記選択手段により選択された販売金額と、前記紙幣投入部により投入された金額とに対応して釣銭の紙幣を返却するか、または、前記精算用媒体の精算金額の紙幣を返却する紙幣返却部とを備え、前記第１のシュータおよび第２のシュータは、前記媒体処理部に至る経路において集合している媒体精算販売装置を制御するコンピュータに、
前記紙幣投入部に紙幣が投入されたか否かを検出する紙幣投入検出ステップと、
前記投入部に前記精算用媒体が投入されたか否かを検出する精算用媒体投入検出ステップと、
前記選択部により販売金額が選択されたか否かを検出する販売金額選択検出ステップと、
前記媒体処理部において、前記販売用媒体に販売金額が記録されたか否かを検出する記録検出ステップと、
前記紙幣投入検出ステップ、精算用媒体投入検出ステップ、販売金額選択検出ステップ、および記録検出ステップのそれぞれの検出結果に基づいて、前記媒体処理部を制御する制御ステップと
を含む処理を実行させるプログラム。
【発明の詳細な説明】
【技術分野】
【０００１】
本発明は、媒体精算販売方法およびプログラムに関し、特に、精算機能と、販売機能とが備えられた媒体精算販売装置において固有に生じる不具合を解消できるようにした媒体精算販売方法およびプログラムに関する。
【背景技術】
【０００２】
パチンコ遊技店やパチスロ遊技店において、遊技者は、貸球や貸メダルにより遊技を開始する。これは、遊技者が、遊技店に対して対価を支払って、支払った分の遊技球や遊技メダルを借りるというものである。
【０００３】
ところが、昨今の遊技台においては、プリペイド式の価値媒体を用いて、遊技台にて必要な分だけを借り受けることが可能となっている。すなわち、遊技者は、販売装置を利用して、例えば、５０００円分のプリペイド式の価値媒体を購入する。このとき、価値媒体には、５０００円分の貸球または貸メダルが可能な情報が磁気的、または電子的に記録されて販売される。遊技者は、その価値媒体を個々の遊技台に設けられた貸球機や貸メダル機に投入し、例えば、１０００円分の貸球や貸メダルを借りると、貸球機や貸メダル機が、価値媒体に記録されている残高を書き換えて４０００円分の価値媒体にして返却する。
【０００４】
さらに、例えば、２０００円分の貸球または貸メダルを用いて遊技したところ、大当たりとなって、それ以降貸球や貸メダルが不要となった場合、価値媒体に記録されている残りの３０００円分は、価値媒体の精算装置に投入することで現金として返却される。
【０００５】
従って、プリペイド式の価値媒体を使用すれば、必要な金額だけを利用しつつ、現金を使った購入操作をする機会を減らすことが可能となる。プリペイド式の価値媒体としては、ICコインというものが提案されている（特許文献１参照）。ICコインは、上述した価値媒体としての金額の情報を内部のICに記録できるようにしたコインであり、ICに記録された情報に基づいて、貸球や貸メダルを借り受けることができるようにしたものである。
【０００６】
【特許文献１】特開２００３−２６３３５３
【発明の開示】
【発明が解決しようとする課題】
【０００７】
ところで、価値媒体としてICコインを使用する遊技店では、ICコインの販売装置と精算装置とを設置する必要がある。特に、販売装置については、遊技台にて遊技する遊技客は必ず使用するものであるので、設置台数も遊技台の数に相当する数が必要となるため、遊技店内において多くのスペースが必要となる。さらに、販売装置とは別に精算装置が遊技店内に設置されると、さらに遊技店内のスペースが消費されることになる。
【０００８】
しかしながら、精算装置は、来店する遊技者数に相当する程度の数だけ設置されないと、閉店時に精算装置に遊技者が殺到することが考えられる。
【０００９】
このような要請に応えるためには、販売装置と精算装置を一体化させることが考えられるが、販売装置として機能するICコインの経路と、精算装置として機能するICコインの経路とを別体として備えると、実質的に販売装置のスペースと精算装置のスペースとが加算されてしまうのみとなってしまうので、省スペース化が図れないことになる。さらに、現状で既に設置されている販売装置については、スペースがある程度規格化されていることが多いため、現状の販売装置の大きさ以上のものは、事実上設置するのが困難であった。
【００１０】
また、仮に販売装置として機能するICコインの経路と、精算装置として機能するICコインの経路とを一体化させてしまった場合、精算と販売の異常処理を個別に処理できなくなる恐れがあった。
【００１１】
さらに、精算用ICコイン投入口と販売用紙幣投入口の2つの投入口が設けられることになるため、同時投入による異常処理が発生すると、個別に処理ができないため適切な対応ができない恐れがあった。
【００１２】
また、ICコインの販売装置と精算装置とを共用とさせると、精算と販売どちらのエラー発生時でもエラーを引き起こしたICコインを排出しないと機器が使用できない状態となるにもかかわらず、単純に即時排出すると、排出口に目的の異なるICコインが混在した状態で排出されることがあり、使用者が混乱してしまう恐れがあった。
【００１３】
本発明はこのような状況に鑑みてなされたものであり、精算装置と販売装置とを小型に一体化するため、ICコインの処理部を共用させつつ、精算装置と販売装置との通路にそれぞれセンサを設け、同時投入に代表される一体化させた場合に固有に発生する異常処理に対応させるようにすると共に、排出口に目的の違う媒体が連続して排出されないようにすることで、小型で、かつ、異常処理及び不正にも対応できる精算装置と販売装置とが一体化された精算販売装置を実現できるようにするものである。
【課題を解決するための手段】
【００１４】
本発明の一側面の媒体精算販売方法は、精算用媒体の精算金額情報を読み取り、前記精算金額情報が読み取られた精算用媒体を回収する、前記精算用媒体の精算金額情報を読み取らず排出する、または、前記精算用媒体を保持すると共に、販売用媒体に販売金額情報を記録し、前記販売金額情報が記録された販売用媒体を排出する、または前記販売用媒体を保持する媒体処理部と、前記精算用媒体を投入する投入部と、前記販売金額の紙幣を投入する紙幣投入部と、前記精算用媒体を前記媒体処理部に誘導する第１のシュータと、前記販売用媒体を前記媒体処理部に誘導する第２のシュータと、前記販売金額情報の販売金額を選択する選択部と、前記選択手段により選択された販売金額と、前記紙幣投入部により投入された金額とに対応して釣銭の紙幣を返却するか、または、前記精算用媒体の精算金額の紙幣を返却する紙幣返却部とを備え、前記第１のシュータおよび第２のシュータは、前記媒体処理部に至る経路において集合している媒体精算販売装置の媒体精算販売方法において、前記紙幣投入部に紙幣が投入されたか否かを検出する紙幣投入検出ステップと、前記投入部に前記精算用媒体が投入されたか否かを検出する精算用媒体投入検出ステップと、前記選択部により販売金額が選択されたか否かを検出する販売金額選択検出ステップと、前記媒体処理部において、前記販売用媒体に販売金額が記録されたか否かを検出する記録検出ステップと、前記紙幣投入検出ステップ、精算用媒体投入検出ステップ、販売金額選択検出ステップ、および記録検出ステップのそれぞれの検出結果に基づいて、前記媒体処理部を制御する制御ステップとを含む。
【００１５】
前記販売金額選択検出ステップで、前記選択部により販売金額が選択されたことが検出されず、前記紙幣投入検出ステップで、前記紙幣投入部に紙幣が投入されたことが検出され、かつ、前記精算用媒体投入検出ステップで、前記投入部に前記精算用媒体が投入されたことが検出された場合、前記制御ステップには、前記媒体処理部を制御して、前記精算用媒体の前記精算金額情報を読み取らず排出させた後、前記精算用媒体が取り出されたことが確認され、前記販売用媒体に販売金額情報を記録したとき、前記販売金額情報が記録された販売用媒体を排出させるように制御させることができる。
【００１６】
前記紙幣返却部が、前記選択手段により選択された販売金額と、前記紙幣投入部により投入された金額とに対応して釣銭の紙幣を返却する場合、前記釣銭の紙幣が抜き取られたか否かを検出する釣銭抜取検出ステップをさらに含ませるようにすることができ、前記釣銭抜取検出ステップにより前記釣銭の紙幣が抜き取られたとき、前記精算用媒体が取り出されたことが確認されたものとみなされるようにすることができる。
【００１７】
前記販売金額選択検出ステップで、前記選択部により販売金額が選択されたことが検出され、前記紙幣投入検出ステップで、前記紙幣投入部に紙幣が投入されたことが検出され、前記精算用媒体投入検出ステップで、前記投入部に前記精算用媒体が投入されたことが検出され、かつ、前記記録検出ステップで、前記媒体処理部において、前記販売用媒体に販売金額が記録されたことが検出されていない場合、前記制御ステップの処理には、前記媒体処理部を制御して、前記販売用媒体、および前記精算用媒体を保持させるようにすることができる。
【００１８】
前記制御ステップの処理には、前記媒体処理部を制御して、前記販売用媒体、および前記精算用媒体を保持するように制御すると共に、エラーが発生したことを発報させるようにすることができる。
【００１９】
前記販売金額選択検出ステップで、前記選択部により販売金額が選択されたことが検出され、前記紙幣投入検出ステップで、前記紙幣投入部に紙幣が投入されたことが検出され、前記精算用媒体投入検出ステップで、前記投入部に前記精算用媒体が投入されたことが検出され、かつ、前記記録検出ステップで、前記媒体処理部において、前記販売用媒体に販売金額情報が記録されたことが検出された場合、前記制御ステップの処理には、前記媒体処理部を制御して、販売金額情報が記録された前記販売用媒体を排出させた後、前記精算用媒体を保持させるように制御させることができる。
【００２０】
前記制御ステップの処理には、前記媒体処理部を制御して、販売金額情報が記録された前記販売用媒体を排出させた後、前記精算用媒体を保持させるように制御すると共に、エラーが発生したことを発報させるようにすることができる。
【００２１】
前記制御ステップには、前記エラーがリセットされた場合、前記媒体処理部を制御して、保持されている前記精算用媒体を排出させるようにすることができる。
【００２２】
前記紙幣投入検出ステップで、前記紙幣投入部に紙幣が投入されたことと、前記前精算用媒体投入検出ステップで、前記投入部に前記精算用媒体が投入されたこととが同時、または、略同時に検出された場合、前記制御ステップの処理には、前記媒体処理部を制御して、前記精算用媒体を排出させる用に制御させると共に、前記紙幣返却部を制御して、前記紙幣投入部に投入された紙幣を返却させるように制御させることができる。
【００２３】
本発明の一側面のプログラムは、精算用媒体の精算金額情報を読み取り、前記精算金額情報が読み取られた精算用媒体を回収する、前記精算用媒体の精算金額情報を読み取らず排出する、または、前記精算用媒体を保持すると共に、販売用媒体に販売金額情報を記録し、前記販売金額情報が記録された販売用媒体を排出する、または前記販売用媒体を保持する媒体処理部と、前記精算用媒体を投入する投入部と、前記販売金額の紙幣を投入する紙幣投入部と、前記精算用媒体を前記媒体処理部に誘導する第１のシュータと、前記販売用媒体を前記媒体処理部に誘導する第２のシュータと、前記販売金額情報の販売金額を選択する選択部と、前記選択手段により選択された販売金額と、前記紙幣投入部により投入された金額とに対応して釣銭の紙幣を返却するか、または、前記精算用媒体の精算金額の紙幣を返却する紙幣返却部とを備え、前記第１のシュータおよび第２のシュータは、前記媒体処理部に至る経路において集合している媒体精算販売装置を制御するコンピュータに、前記紙幣投入部に紙幣が投入されたか否かを検出する紙幣投入検出ステップと、前記投入部に前記精算用媒体が投入されたか否かを検出する精算用媒体投入検出ステップと、前記選択部により販売金額が選択されたか否かを検出する販売金額選択検出ステップと、前記媒体処理部において、前記販売用媒体に販売金額が記録されたか否かを検出する記録検出ステップと、前記紙幣投入検出ステップ、精算用媒体投入検出ステップ、販売金額選択検出ステップ、および記録検出ステップのそれぞれの検出結果に基づいて、前記媒体処理部を制御する制御ステップとを含む処理を実行させる。
【００２４】
本発明の一側面の媒体精算販売方法およびプログラムにおいては、精算用媒体の精算金額情報を読み取り、前記精算金額情報が読み取られた精算用媒体を回収する、前記精算用媒体の精算金額情報を読み取らず排出する、または、前記精算用媒体を保持すると共に、販売用媒体に販売金額情報を記録し、前記販売金額情報が記録された販売用媒体を排出する、または前記販売用媒体を保持する媒体処理部と、前記精算用媒体を投入する投入部と、前記販売金額の紙幣を投入する紙幣投入部と、前記精算用媒体を前記媒体処理部に誘導する第１のシュータと、前記販売用媒体を前記媒体処理部に誘導する第２のシュータと、前記販売金額情報の販売金額を選択する選択部と、前記選択手段により選択された販売金額と、前記紙幣投入部により投入された金額とに対応して釣銭の紙幣を返却するか、または、前記精算用媒体の精算金額の紙幣を返却する紙幣返却部とを備え、前記第１のシュータおよび第２のシュータは、前記媒体処理部に至る経路において集合している媒体精算販売装置の媒体精算販売方法であって、前記紙幣投入部に紙幣が投入されたか否かが検出され、前記投入部に前記精算用媒体が投入されたか否かが検出され、前記選択部により販売金額が選択されたか否かが検出され、前記媒体処理部において、前記販売用媒体に販売金額が記録されたか否かが検出され、前記紙幣投入が検出されたか、精算用媒体が投入されたか、販売金額が選択されたか、および販売金額が記録されたか、のそれぞれに基づいて、前記媒体処理部が制御される。
【００２５】
本発明の一側面の媒体精算販売方法およびプログラムにおける、精算用媒体の精算金額情報を読み取り、前記精算金額情報が読み取られた精算用媒体を回収する、前記精算用媒体の精算金額情報を読み取らず排出する、または、前記精算用媒体を保持すると共に、販売用媒体に販売金額情報を記録し、前記販売金額情報が記録された販売用媒体を排出する、または前記販売用媒体を保持する媒体処理部とは、媒体処理装置であり、前記精算用媒体を投入する投入部とは、精算用ICコイン投入口であり、前記販売金額の紙幣を投入する紙幣投入部とは、紙幣処理装置の紙幣投入口であり、前記精算用媒体を前記媒体処理部に誘導する第１のシュータとは、精算用ICコイン投入口から媒体処理装置までのシュータであり、前記販売用媒体を前記媒体処理部に誘導する第２のシュータとは、コインホッパから媒体処理装置までのシュータであり、前記販売金額情報の販売金額を選択する選択部とは、販売取引選択部であり、前記選択部により選択された販売金額と、前記紙幣投入部により投入された金額とに対応して釣銭の紙幣を返却するか、または、前記精算用媒体の精算金額の紙幣を返却する紙幣返却部とは、紙幣処理装置の紙幣返却口であり、前記第１のシュータおよび第２のシュータは、前記媒体処理部に至る経路において集合している媒体精算販売装置の媒体精算販売方法であって、前記紙幣投入部に紙幣が投入されたか否かを検出する紙幣投入検出ステップとは、紙幣投入口の投入センサにより紙幣の投入を検出する処理であり、前記投入部に前記精算用媒体が投入されたか否かを検出する精算用媒体投入検出ステップとは、精算用ICコイン投入口の後段に設けられたセンサでICコインの投入を検出する処理であり、前記選択部により販売金額が選択されたか否かを検出する販売金額選択検出ステップとは、販売取引選択部が操作された否かを検出処理であり、前記媒体処理部において、前記販売用媒体に販売金額が記録されたか否かを検出する記録検出ステップとは、媒体処理装置で販売用ICコインに金額情報が記録されたか否かを検出する処理であり、前記紙幣投入検出ステップ、精算用媒体投入検出ステップ、販売金額選択検出ステップ、および記録検出ステップのそれぞれの検出結果に基づいて、前記媒体処理部を制御する制御ステップとは、前記精算用媒体の前記精算金額情報を読み取らず排出させた後、前記販売用媒体に販売金額情報を記録し、前記精算用媒体が取り出されたことが確認されたとき、前記販売金額情報が記録された販売用媒体を排出させるように制御したり、前記媒体処理部を制御して、前記販売用媒体、および前記精算用媒体を保持するように制御したり、または、前記媒体処理部を制御して、販売金額情報が記録された前記販売用媒体を排出させた後、前記精算用媒体を保持させるように制御する処理である。
【００２６】
結果として、媒体処理装置における精算機能と販売機能とを共用させるようにした一体型の媒体精算販売装置において、販売用媒体と精算用媒体とを同時に排出口に排出させないようにすることが可能となり、遊技者が混乱するような事態を抑制することが可能となる。
【発明の効果】
【００２７】
本発明によれば、媒体処理装置における精算機能と販売機能とを共用させるようにした一体型の媒体精算販売装置において、販売用媒体と精算用媒体とを同時に排出口に排出させないようにすることが可能となり、遊技者が混乱するような事態を抑制することが可能となる
【発明を実施するための最良の形態】
【００２８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
即ち、本発明の一側面の媒体精算販売方法およびプログラムは、精算用媒体の精算金額情報を読み取り、前記精算金額情報が読み取られた精算用媒体を回収する、前記精算用媒体の精算金額情報を読み取らず排出する、または、前記精算用媒体を保持すると共に、販売用媒体に販売金額情報を記録し、前記販売金額情報が記録された販売用媒体を排出する、または前記販売用媒体を保持する媒体処理部（例えば、図１０の媒体処理装置６２）と、前記精算用媒体を投入する投入部（例えば、図１０の精算用ICコイン投入口２５）と、前記販売金額の紙幣を投入する紙幣投入部（例えば、図１の紙幣投入口２１）と、前記精算用媒体を前記媒体処理部に誘導する第１のシュータ（例えば、図１０の経路Ｌ２）と、前記販売用媒体を前記媒体処理部に誘導する第２のシュータ（例えば、図１０の経路Ｌ１）と、前記販売金額情報の販売金額を選択する選択部（例えば、図１０の販売取引選択部２３）と、前記選択手段により選択された販売金額と、前記紙幣投入部により投入された金額とに対応して釣銭の紙幣を返却するか、または、前記精算用媒体の精算金額の紙幣を返却する紙幣返却部（例えば、図１の紙幣返却口２２）とを備え、前記第１のシュータおよび第２のシュータは、前記媒体処理部に至る経路において集合している（例えば、図１０の経路Ｌ３）媒体精算販売装置の媒体精算販売方法であって、前記紙幣投入部に紙幣が投入されたか否かを検出する紙幣投入検出ステップ（例えば、図１１のステップＳ２，Ｓ７の処理）と、前記投入部に前記精算用媒体が投入されたか否かを検出する精算用媒体投入検出ステップ（例えば、図１１のステップＳ１，Ｓ８の処理）と、前記選択部により販売金額が選択されたか否かを検出する販売金額選択検出ステップ（例えば、図１３のステップＳ４３の処理）と、前記媒体処理部において、前記販売用媒体に販売金額が記録されたか否かを検出する記録検出ステップ（例えば、図１３のステップＳ４９の処理）と、前記紙幣投入検出ステップ、精算用媒体投入検出ステップ、販売金額選択検出ステップ、および記録検出ステップのそれぞれの検出結果に基づいて、前記媒体処理部を制御する制御ステップ（例えば、図１３乃至図１６のステップＳ５１，Ｓ７１，Ｓ９１，Ｓ１１１の処理）とを含む。
【００３０】
前記販売金額選択検出ステップで、前記選択部により販売金額が選択されたことが検出されず、前記紙幣投入検出ステップで、前記紙幣投入部に紙幣が投入されたことが検出され、かつ、前記精算用媒体投入検出ステップで、前記投入部に前記精算用媒体が投入されたことが検出された場合、前記制御ステップには、前記媒体処理部を制御して、前記精算用媒体の前記精算金額情報を読み取らず排出させた後、前記精算用媒体が取り出されたことが確認され、前記販売用媒体に販売金額情報を記録したとき、前記販売金額情報が記録された販売用媒体を排出させるように制御させることができる（例えば、図１４のステップＳ７８，Ｓ８１の処理）。
【００３１】
前記紙幣返却部が、前記選択手段により選択された販売金額と、前記紙幣投入部により投入された金額とに対応して釣銭の紙幣を返却する場合、前記釣銭の紙幣が抜き取られたか否かを検出する釣銭抜取検出ステップをさらに含ませるようにすることができ、前記釣銭抜取検出ステップにより前記釣銭の紙幣が抜き取られたとき、前記精算用媒体が取り出されたことが確認されたものとみなされるようにすることができる（例えば、図１４のステップＳ８０，Ｓ８１の処理）。
【００３２】
前記販売金額選択検出ステップで、前記選択部により販売金額が選択されたことが検出され、前記紙幣投入検出ステップで、前記紙幣投入部に紙幣が投入されたことが検出され、前記精算用媒体投入検出ステップで、前記投入部に前記精算用媒体が投入されたことが検出され、かつ、前記記録検出ステップで、前記媒体処理部において、前記販売用媒体に販売金額が記録されたことが検出されていない場合、前記制御ステップの処理には、前記媒体処理部を制御して、前記販売用媒体、および前記精算用媒体を保持させるようにすることができる（例えば、図１５のステップＳ９１の処理）。
【００３３】
前記制御ステップの処理には、前記媒体処理部を制御して、前記販売用媒体、および前記精算用媒体を保持するように制御すると共に、エラーが発生したことを発報させるようにすることができる（例えば、図１５のステップＳ９２の処理）。
【００３４】
前記販売金額選択検出ステップで、前記選択部により販売金額が選択されたことが検出され、前記紙幣投入検出ステップで、前記紙幣投入部に紙幣が投入されたことが検出され、前記精算用媒体投入検出ステップで、前記投入部に前記精算用媒体が投入されたことが検出され、かつ、前記記録検出ステップで、前記媒体処理部において、前記販売用媒体に販売金額情報が記録されたことが検出された場合、前記制御ステップの処理には、前記媒体処理部を制御して、販売金額情報が記録された前記販売用媒体を排出させた後、前記精算用媒体を保持させるように制御させることができる（例えば、図１６のステップＳ１１１，Ｓ１１２の処理）。
【００３５】
前記制御ステップの処理には、前記媒体処理部を制御して、販売金額情報が記録された前記販売用媒体を排出させた後、前記精算用媒体を保持させるように制御すると共に、エラーが発生したことを発報させるようにすることができる（例えば、図１６のステップＳ１１３の処理）。
【００３６】
前記制御ステップには、前記エラーがリセットされた場合、前記媒体処理部を制御して、保持されている前記精算用媒体を排出させるようにすることができる（例えば、図１６のステップＳ１１４，Ｓ１１５の処理）。
【００３７】
前記紙幣投入検出ステップで、前記紙幣投入部に紙幣が投入されたことと、前記前精算用媒体投入検出ステップで、前記投入部に前記精算用媒体が投入されたこととが同時、または、略同時に検出された場合、前記制御ステップの処理には、前記媒体処理部を制御して、前記精算用媒体を排出させる用に制御させると共に、前記紙幣返却部を制御して、前記紙幣投入部に投入された紙幣を返却させるように制御させることができる（例えば、図１１のステップＳ６の処理）。
【００３８】
図１は、本発明に係るICコインの精算販売機１の外観斜視図である。精算販売機１は、精算装置と販売装置とを一体化したものであり、当然のことながら、精算機能と販売機能とを兼ね備えたものである。
【００３９】
紙幣投入口２１は、販売用ICコインを購入する際、遊技者により投入される紙幣を受け付け、図示せぬ紙幣の回収器に回収する。紙幣返却口２２は、販売用ICコインを購入する場合、釣銭を返却する。また、紙幣返却口２２は、精算用ICコインが投入された場合、精算金額に相当する金額の紙幣を返却する。
【００４０】
販売取引選択部２３は、タッチパネルなどから構成され、遊技者が販売用ICコインを購入する際、例えば、1000円、3000円、または5000円の販売用ICコインのいずれかを選択する操作がなされ、操作内容に応じた信号を発生する。
【００４１】
取引内容表示部２４は、LCD（Liquid Crystal Display）などのディスプレイなどからなり、取引に際して必要とされる情報を表示する。例えば、取引内容表示部２４は、紙幣投入口２１より紙幣が投入されると、投入された金額、販売取引選択部２３が操作されると、選択された販売用ICコインの金額、釣銭が存在する場合には釣銭の金額、または、エラーが発生した場合のエラー情報や復旧操作方法のガイダンス画面を表示する。
【００４２】
精算用ICコイン投入口２５は、遊技者が、精算用ICコインを投入する部位である。尚、精算用ICコイン投入口２５は、現金硬貨を受け付けない。従って、現金硬貨が投入された場合、精算用ICコイン投入口２５より投入された現金硬貨は、そのまま排出口２６に排出される。排出口２６は、購入された販売用ICコインを排出する。また、排出口２６は、各種のエラーが発生した場合、投入された精算用ICコインや現金硬貨を排出する。
【００４３】
エラーリセットボタン２７は、錠２８に図示せぬ鍵が挿入されて、45度回転された状態で、同時に押圧操作されるとリセット信号を発生する。また、錠２８は、鍵が挿入され、９０度に回転されると開錠し、前扉２９が回動して手前に開く構成となっている。
【００４４】
次に、図２を参照して、精算販売機１の内部構成について説明する。尚、図２においては、図中左部が正面から見た（前扉２９方向から見た）内部構造であり、図中右部が側面から見た内部構造である。
【００４５】
精算用ICコイン投入口２５は、精算用ICコイン７１を横向きにして（精算用ICコイン７１の円盤状の面を上下方向に対して垂直方向に近い角度で）投入する構成となっており、投入すると同時に落下し、媒体処理装置６２に投入される。媒体処理装置６２は、投入された精算用ICコイン７１のICに記録されている精算金額を読み出し、紙幣処理装置６３が制御されて、読み出された精算金額が紙幣返却口２２より払い出される。
【００４６】
また、コインホッパ６１は、販売用ICコインを購入するために、紙幣投入口２１に紙幣が投入され、販売取引選択部２３が操作されると、ICに何も記録されていない販売用ICコインを排出し、媒体処理装置６２に投入する。このとき、媒体処理装置６２は、販売用ICコインに販売取引選択部２３の選択操作内容に応じた情報を販売用ICコインに記録して、排出部２６に排出する。
【００４７】
図３乃至図５は、精算用ICコイン投入口２５、コインホッパ６１、媒体処理装置６２、および排出口２６の周辺部を抽出した図面である。
【００４８】
コインホッパ６１より排出されるICコインは、図４または図５で示される経路Ｌ１を通過すると、精算販売シュート８１に合流する。また、精算用ICコイン投入口２５に投入されたICコインは、経路Ｌ２を通過して精算販売シュート８１に合流する。
【００４９】
精算販売シュート８１は、精算用ICコイン投入口２５に投入されたICコイン、および、コインホッパ６１より排出されるICコインのいずれについても、経路Ｌ３より接続部８１ａから媒体処理装置６２に誘導する。
【００５０】
媒体処理装置６２は、コインホッパ６１より供給されるICコインに対しては、販売された金額に相当する情報をICに記録し、払出口シュート８３の払出口８３ａに排出する。この処理により、販売用ICコインが、経路Ｌ４を介して、集中シュート８４を経て排出口２６に排出される。
【００５１】
一方、精算用ICコインが精算用ICコイン投入口２５に投入された場合、媒体処理装置６２は、ICコインに記録された金額の情報を読み出して、対応する紙幣を紙幣返却口２２より紙幣を返却させると共に、使用済みのICコインを回収シュート８２の回収口８２ａに排出する。
【００５２】
さらに、通路切替フラッパ９１は、軸９１ａを回転軸として図５の矢印ＡまたはＢ方向に回動可能な構成とされており、矢印Ａ方向に回転するとき、ツメ９１ｂによりコインホッパ６１より排出されたICコインは経路Ｌ１を介して精算販売シュート８１に移動する。また、通路切替フラッパ９１は、矢印Ｂ方向に回転するとき、ツメ９１ｂによりコインホッパ６１より排出されたICコインは、経路Ｌ５を経てメンテナンス用排出口９２に排出される。尚、本実施例の説明において、通路切替フラッパ９１は、メンテナンス用に矢印Ｂ方向に回転することがあるのみであるので、矢印Ａ方向に固定しているものとして説明を進める。
【００５３】
次に、図６を参照して、媒体処理装置６２の構成について説明する。
【００５４】
媒体処理装置６２は、同一の回転軸１０２ａを中心として、矢印ＣまたはＤ方向に保持部材１０２を回転させる。保持部材１０２は、ICコインの略同形の半円凹部１０２ｂを備えており、図６で示される回転角度で固定することにより、経路Ｌ３を経て投入されてくるICコイン７１ａを、ICコイン７１ｂで示されるように保持する。さらに、記録部１０１が、この状態においてICコイン７１ｂのIC部にアクセスし、ICコインが販売用である場合は、投入金額に相当する情報を記録し、精算用である場合には、ICに記録された金額の情報を読み出すと共に、記録情報を消去する。保持部１０２は、記録部１０１の処理が終了すると、矢印Ｄ方向に回転することで、販売用ICコインを払出口シュート８３に誘導すると共に、精算用ICコインについては、記録情報が消去されているので、矢印C方向に回転することで、回収シュート８２に誘導する。
【００５５】
次に、精算販売機１のICコインの投入経路について説明する。
【００５６】
これまで、ICコインの投入経路は、媒体が円盤状のコインであるので縦に投入する構成とし、ころがり効果でコインを搬送するようにしていた。このようにすると図７で示されるように、精算用ICコイン投入口１１４に投入された精算用ICコイン７１は、経路Ｌ１１を経て、媒体処理装置１１３に投入され、媒体処理装置１１３から経路Ｌ１３を経て排出口１１５に排出される。また、紙幣処理装置１１６に紙幣が投入され、販売取引選択部が操作されると、紙幣投入販売用ICコインは、コインホッパ１１２より経路Ｌ１２を経て媒体処理装置１１３に投入されることになる。尚、図７は、従来の手法で設計される精算販売機１１１であり、左部が正面図であり、右部が側面図である。
【００５７】
結果として、図８で示されるように、図中の矢印Ｂ方向から前扉を開けた後、通路やセレクタを保守メンテナンスする時、係員Hは、コインホッパ１１２以下の構造物を図中のコインホッパ１１２ａからコインホッパ１１２ｂの位置までスライドさせ、係員Ｈ‘で示されるように、図中の矢印Ｂ’方向の側面に回る必要があり、メンテナンスが困難でありスペースも必要となってしまっていた。また、ICコイン径分の通路が必要なため、通路長が長く、ICコインの移動時間がかかるため、処理時間がかかってしまっていた。さらに、規定寸法の制約の中では構成できないため、新規に紙幣処理装置を開発しなければならなかった。また、媒体処理装置１１３以降にICコインの通路が必要となるが、奥にある通路から前にある排出口までICコインを搬送する必要があり、経路が長く、複雑になってしまっていた。さらに、媒体処理装置１１３以降において排出口までの通路メンテナンスが困難となっていた。また、通路メンテナンス向上のため引き出し可能とすると、ベースに切り欠きが必要になり、強度不足になってしまう恐れがあった。
【００５８】
これに対して、本実施例で示されるように、ICコインを横にして（円盤状の底面部を上下方向にして）投入する構成としたことにより、ホッパから排出されたコインと精算投入口に投入されたコインを集合させている。このような構成においては、転がらない分傾斜角度が必要となるが、コインホッパ６１からの経路と、精算用ICコイン投入口２５からの経路を単純に一体化することが可能となる（経路Ｌ１，Ｌ２を精算販売シュート８１で集合させて、統一された経路Ｌ３を構成することが可能となる）。
【００５９】
結果として、図９で示されるように、ICコインの通路が正面に集中する構造となるため、係員Ｈ’’は、前扉２９を開放するだけで、矢印Ｅ方向に向いたまま、容易にICコインの通路をメンテナンスすることが可能になる。また、ICコインの経路を縦方向に集約させることになるので、ICコインの経路を確保する必要がなくなり、省スペース化を実現することが可能となる。さらに、ICコインの通路長が短くなるので、処理時間を短くすることが可能となる。また、筐体内部のスペース効率も良いため、現状の紙幣処理装置を使用しても規定寸法を維持することが可能となる。さらに、媒体処理装置６２乃至排出口２６までの通路形状を単純にすることが可能となる。また、引き出し構造にした際もベースの切り欠きが不要となるため、強度における問題も生じにくい。さらに、精算用ICコインを横に投入し、販売通路と集合させることにより同一のICコインの経路により、精算処理と販売処理とを実行することが可能となり、内部構造も単純にすることが可能となる。
【００６０】
次に、図１０を参照して、販売精算処理が実行されるとき精算販売機１により実現される機能の一実施の形態の構成について説明する。
【００６１】
制御部１２３は、精算販売機１の動作の全体を制御している。制御部１２３は、コインホッパ６１に設けられているセンサ６１ａ、精算ICコイン投入口２５の後段に設けられたセンサ１２２、媒体処理装置６２の入口に設けられたセンサ６２ａ、紙幣処理装置６３の紙幣投入口２１に設けられた投入センサ６３ａ、および紙幣返却口２２に設けられた返却センサ６３ｂの検出結果、販売取引選択部２３、エラーリセットボタン２７、並びに、媒体処理装置６２の処理状態に基づいて、各種の動作を制御する。制御部１２３は、タイマ１２３ａを備えており、連続して異なるセンサより検出信号が供給されるとき、タイマ１２３ａにより計測される所定の時間よりも短い間隔であるとき、連続して検出されたセンサからの検出信号が、同時に検出されたものとみなす。
【００６２】
コインホッパ６１に設けられているセンサ６１ａ、精算ICコイン投入口２５の後段に設けられたセンサ１２２、および、媒体処理装置６２の入口に設けられたセンサ６２ａは、いずれも同様のセンサであり、ICコインの通過を検出すると検出信号を発生し、制御部１２３に供給する。紙幣処理装置６３の紙幣投入口２１に設けられた投入センサ６３ａ、および紙幣返却口２２に設けられた返却センサ６３ｂは、紙幣の有無を検出し、紙幣が検出されると検出信号を制御部１２３に供給する。
【００６３】
尚、媒体処理装置６２から回収箱１２１への経路Ｌ６は、精算用ICコインが精算終了後に排出される経路である。また、経路Ｌ１，Ｌ２の集合地点がＰで示されており、Ｐ以降が経路Ｌ３である。従って、精算販売シュート８１は、経路Ｌ２とＬ３が合成されたものである。
【００６４】
次に、図１１乃至図１６のフローチャートを参照して、販売精算処理を説明する。
【００６５】
ステップＳ１において、制御部１２３は、センサ１２２からの検出信号により精算用ICコインが投入されたか否かを判定する。例えば、遊技者が、精算用ICコインを精算用ICコイン投入口２５に投入すると、センサ１２２が、投入された精算用ICコインを検出し、対応する検出信号を制御部１２３に供給する。結果として、制御部１２３は、精算用ICコインが投入されたと判定し、その処理はステップＳ２に進む。
【００６６】
ステップＳ２において、制御部１２３は、精算用ICコイン投入された直後に、ほぼ同時のタイミングで販売用ICコインを購入するための紙幣が投入されたか否かを判定する。より具体的には、制御部１２３は、ステップＳ１によりセンサ１２２より検出信号が供給されてからタイマ１２３ａにより計測される所定時間内に、紙幣処理装置６３の投入センサ６３ａより検出信号が供給されたか否かを判定する。例えば、精算用ICコイン投入された直後に、ほぼ同時のタイミングで販売用ICコインを購入するための紙幣が投入されていない場合、すなわち、誤解されることなく精算用ICコインのみが投入された場合、ステップＳ３において、精算処理が実行される。尚、精算処理については、図１２のフローチャートを参照して詳細を後述する。
【００６７】
一方、ステップＳ２において、精算用ICコイン投入された直後に、ほぼ同時のタイミングで販売用ICコインを購入するための紙幣が投入された場合、すなわち、誤解により、引き続いて販売用ICコインを購入する操作がなされたと判定された場合、ステップＳ４において、制御部１２３は、媒体処理装置６２に対して投入された精算用ICコインを返却するように指示すると共に、紙幣処理装置６３に対して紙幣投入口２１より投入された紙幣を紙幣返却口２２より返却させる。これに応じて、媒体処理装置６２は、保持部材１０２を図６で示される矢印D方向に回転させて、投入された精算用ICコインを排出口２６に排出させる。また、紙幣処理装置６３は、紙幣投入口２１より投入された紙幣を紙幣返却口２２より返却する。
【００６８】
すなわち、ステップＳ２において、精算用ICコインが投入された直後のタイミングでほぼ同時に紙幣が投入されるような場合、例えば、順次処理してしまうと、精算処理が終了するまでは投入した紙幣がストックされたまま残ることとなる。結果として、紙幣返却口２２から排出される紙幣は、精算用の紙幣が排出されたのか、購入用の紙幣の返却なのか判断できないことになってしまうことになる。
【００６９】
そこで、上述したように、同時に投入されたと判断した場合には、精算用ICコインおよび紙幣をそれぞれ返却するようにすることで、上述したような排出された紙幣が精算用の紙幣が排出されたのか、購入用の紙幣の返却なのか判断できないといった事態を回避することが可能となる。
【００７０】
ステップＳ１において、精算用ICコインが投入されていないと判定された場合、ステップＳ５において、制御部１２３は、紙幣処理装置６３の投入センサ６３ａからの検出信号により販売用ICコインの購入用の紙幣が投入されたか否かを判定する。例えば、遊技者が、紙幣投入口２１に販売用ICコイン購入のために紙幣を投入すると、投入センサ６３ａが、投入された紙幣を検出し、対応する検出信号を制御部１２３に供給する。結果として、制御部１２３は、紙幣が投入されたと判定し、その処理はステップＳ６に進む。
【００７１】
ステップＳ６において、制御部１２３は、販売用ICコインを購入するための紙幣が投入された直後に、ほぼ同時のタイミングで精算用ICコイン投入されたか否かを判定する。より具体的には、制御部１２３は、ステップＳ５により投入センサ６３ａより検出信号が供給されてからタイマ１２３ａにより計測される所定時間内に、センサ１２２より検出信号が供給されたか否かを判定する。例えば、販売用ICコインを購入するための紙幣が投入された直後に、ほぼ同時のタイミングで精算用ICコイン投入されていない場合、すなわち、誤解されることなく販売用ICコイン購入用の紙幣のみが投入された場合、ステップＳ７において、販売処理が実行される。尚、販売処理については、図１３乃至図１６のフローチャートを参照して詳細を後述する。
【００７２】
ステップＳ６において、例えば、販売用ICコインを購入するための紙幣が投入された直後に、ほぼ同時のタイミングで精算用ICコイン投入された場合、その処理は、ステップＳ４に進み、精算用ICコインおよび紙幣が返却される。すなわち、ステップＳ５，Ｓ６の処理により、例えば、紙幣が投入された直後に、ほぼ同時に精算用ICコインが投入された場合、順次処理すると、精算処理が終了するまでは投入した紙幣がストックされたまま残ることとなる。結果として、精算金として排出した紙幣が購入金の返却なのか精算金なのかが判断できないことになる。
【００７３】
そこで、以上のような処理により、上述したように、同時に投入されたと判断した場合には、精算用ICコインおよび紙幣をそれぞれ返却するようにすることで、上述したような排出された紙幣が精算用の紙幣が排出されたのか、購入用の紙幣の返却なのか判断できないといった事態を回避することが可能となる。
【００７４】
次に、図１２のフローチャートを参照して、精算処理について説明する。
【００７５】
ステップＳ２１において、制御部１２３は、センサ１２２からの検出信号により精算用ICコインが投入されたか否かを判定し、ICコインが投入されたと判定されるまで、その処理が繰り返される。
【００７６】
例えば、ステップＳ２１において、精算用ICコインが投入されたと判定された場合、ステップＳ２２において、制御部１２３は、センサ６２ａよりICコインが検出されたか否かを判定する。
【００７７】
ステップＳ２２において、例えば、存在しないと判定された場合、センサ１２２において、ICコインが投入されているにもかかわらず、センサ６２ａにおいてICコインが検出されないということは、精算販売シュート８１内でICコインが詰まっている可能性がある。
【００７８】
そこで、ステップＳ３０において、制御部１２３は、取引内容表示部２４を制御して、媒体処理装置６２にコイン詰まりが発生していることを通知し、その処理は、終了する。
【００７９】
一方、ステップＳ２２において、精算用ICコインが存在すると判定された場合、精算用ICコイン投入口２５に投入された精算用ICコインが、経路Ｌ２，Ｌ３を介して、精算販売シュート８１を落下して媒体処理装置６２に到達していることになるので、ステップＳ２３において、制御部１２３は、媒体制御装置６２に対して到達した精算用ICコインのICに記録されている情報を読み出すように指示する。媒体制御装置６２は、保持部材１０２に保持された状態となっているICコインのICの情報を読み出し、制御部１２３に供給する。
【００８０】
ステップＳ２４において、制御部１２３は、媒体制御装置６２により、ICコインのICの情報である、精算金額が読み出せたか否かを判定する。例えば、媒体制御装置６２によりICコインのICの情報である精算金額が読み出せた場合、ステップＳ２５において、制御部１２３は、精算金額の情報を紙幣処理装置６３に供給し、対応する金額を払い出させる。紙幣処理装置６３は、紙幣返却口２２を制御して、精算金額に相当する紙幣を払い出す。
【００８１】
ステップＳ２６において、制御部１２３は、媒体処理装置６２に対して精算用ICコインの情報を消去するように指示する。媒体処理装置６２は、この指令に基づいて、記録部１０１を制御して、保持部材１０２に保持されているICコインのICに記録されている精算金額の情報を消去する。
【００８２】
ステップＳ２７において、制御部１２３は、媒体処理装置６２に対して精算用ICコインを精算済みのICコインを回収する回収箱１２１に回収させる。媒体処理装置６２は、この指示に対応して、保持部材１０２を図６の矢印C方向に回転させて、ICコインを回収シュート８２に誘導し、経路Ｌ６を介して回収箱１２１に回収させる。
【００８３】
一方、ステップＳ２４において、精算金額が読み出せなかった、すなわち、精算用ICコインとして投入されたICコインのICに記録された情報に異常が発生しているか、または、ICコイン以外のものが投入されていた場合、ステップＳ２８において、制御部１２３は、取引内容表示部２４を制御して、投入されたICコインに異常があるか、または、ICコイン以外のコインが投入されていることによるエラーが発生していることを表示させる。
【００８４】
ステップＳ２９において、制御部１２３は、媒体処理装置６２に対して精算用ICコインを排出口２６に排出するように指示する。媒体処理装置６２は、この指示に応じて、保持部材１０２を図６の矢印Ｄ方向に回転させて、ICコインを払出口シュート８３に誘導し、経路Ｌ４を介して排出口２６に排出させる。
【００８５】
以上の処理によりICコインに記録されている精算金額に対応する紙幣を返却すると共に、ICコインに記録されていた情報が消去されることになるので、万が一、回収されたICコインが盗まれても情報が記録されていないため、精算金額による不正が防止される。また、不正なICコインが投入された場合についても、エラーが検出される。
【００８６】
次に、図１３乃至図１６を参照して、販売処理について説明する。
【００８７】
ステップＳ４１において、紙幣処理装置６３は、紙幣投入口２１に投入された紙幣の情報を読み出す。ステップＳ４２において、紙幣処理装置６３は、正規の紙幣であるか否かを判定し、正規の紙幣である場合、ステップＳ４３において、販売取引選択部２３に表示された操作ボタンが操作され、購入するICコインの金額が選択されたか否かを判定し、ICコインの金額が選択されるまでその処理を繰り返す。例えば、ステップＳ４３において、選択ボタンが操作されると、ステップＳ４４において、制御部１２３は、センサ６２ａよりICコインが検出されたか否かを判定する。
【００８８】
ステップＳ４４において、例えば、ICコインが検出されない、すなわち、存在しないと判定された場合、ステップＳ４５において、制御部１２３は、コインホッパ６１を制御して、販売金額が記録されていない販売用ICコインを１枚排出させる。
【００８９】
ステップＳ４６において、コインホッパ６１より排出された販売用ICコインは、経路Ｌ１，Ｌ３を介して精算販売シュート８１を落下して媒体処理装置６２に移動する。
【００９０】
ステップＳ４７において、制御部１２３は、センサ１２２からの検出信号により精算用ICコインが投入されたか否かを判定する。
【００９１】
例えば、ステップＳ４７において、精算用ICコインが投入されなかった場合、ステップＳ４８において、制御部１２３は、販売取引選択部２３が操作されることにより選択された金額に対応する情報を販売用ICコインに記録するように媒体処理装置６２に指示する。媒体処理装置６２は、記録部１０１を制御して、保持部材１０２に保持されている販売用ICコインに、選択された金額に対応する情報を記録させる。
【００９２】
ステップＳ４９において、制御部１２３は、媒体処理装置６２に問い合わせて販売用ICコインに金額の情報が記録できたか否かを判定する。例えば、ステップＳ４９において、販売用ICコインに金額の情報が記録できていないと判定された場合、その処理は、ステップＳ５２に進む。
【００９３】
ステップＳ５２において、制御部１２３は、媒体処理装置６２に対して、保持されているICコインをエラーコインとして回収させるように指示する。媒体制御装置６２は、この指示に基づいて、保持部材１０２を図６の矢印Ｃ方向に回転させて、回収シュート８２に誘導し、回収箱１２１にエラーコインを回収させる。さらに、処理は、ステップＳ４５に戻る。すなわち、エラーコインは、販売させることができないので、回収し、ステップＳ４５に戻り、再度、新たな販売用ICコインを排出させる。
【００９４】
ステップＳ４９において、販売用ICコインに金額の情報が記録できたと判定された場合、ステップＳ５０において、制御部１２３は、センサ１２２からの検出信号により精算用ICコインが投入されたか否かを判定する。
【００９５】
例えば、ステップＳ５０において、精算用ICコインが投入されなかった場合、ステップＳ５１において、制御部１２３は、媒体処理装置６２に対して、販売用ICコインを排出口２６に排出させる。媒体処理装置６２は、この指示に基づいて、保持部材１０２を図６の矢印D方向に回転させ、販売用ICコインを払出口シュート８３に誘導し、排出口２６に排出させる。
【００９６】
以上の処理によりステップＳ４４，Ｓ４７，Ｓ５０において、精算用ICコインが投入されなければ（ステップＳ４４においては、精算用ICコインが媒体処理装置６２で検出されなければ）、選択された金額に応じた金額の情報が記録された販売用ICコインが排出口２６に排出される。
【００９７】
ステップＳ４２において、正規の紙幣ではないと判定された場合、ステップＳ５３において、紙幣処理装置６３は、紙幣投入口２１に投入された紙幣を紙幣返却口２２より返却させる。
【００９８】
ステップＳ４４において、精算用ICコインが存在すると判定された場合、ステップＳ７１（図１４）において、制御部１２３は、媒体処理装置６２に対して、今現在保持しているICコインを排出口２６に排出するように指示する。媒体処理装置６２は、この指示に応じて、保持部材１０２を図６の矢印D方向に回転させて、精算用ICコインを払出口シュート８３に誘導し、排出口２６に排出させる。
【００９９】
ステップＳ７２において、制御部１２３は、コインホッパ６１を制御して、販売金額が記録されていない販売用ICコインを１枚排出させる。
【０１００】
ステップＳ７３において、コインホッパ６１より排出された販売用ICコインは、経路Ｌ１，Ｌ３を介して精算販売シュート８１を落下して媒体処理装置６２に移動する。
【０１０１】
ステップＳ７４において、制御部１２３は、販売取引選択部２３が操作されることにより選択された金額に対応する情報を販売用ICコインに記録するように媒体処理装置６２に指示する。媒体処理装置６２は、記録部１０１を制御して、保持部材１０２に保持されている販売用ICコインに、選択された金額に対応する情報を記録させる。
【０１０２】
ステップＳ７５において、制御部１２３は、媒体処理装置６２に問い合わせて販売用ICコインに金額の情報が記録できたか否かを判定する。例えば、ステップＳ７５において、販売用ICコインに金額の情報が記録できていないと判定された場合、その処理は、ステップＳ７６に進む。
【０１０３】
ステップＳ７６において、制御部１２３は、媒体処理装置６２に対して、保持されているICコインをエラーコインとして回収させるように指示する。媒体制御装置６２は、この指示に基づいて、保持部材１０２を図６の矢印Ｃ方向に回転させて、回収シュート８２に誘導し、回収箱１２１にエラーコインを回収させる。さらに、処理は、ステップＳ７２に戻る。
【０１０４】
ステップＳ７５において、販売用ICコインに金額の情報が記録できたと判定された場合、ステップＳ７７において、制御部１２３は、取引内容表示部２４を制御して、精算用ICコインが取り出されていることを確認するように促す画面を表示し、確認を示す操作ボタンを表示する。
【０１０５】
ステップＳ７８において、制御部１２３は、精算用ICコインが取り出されたか否かを判定する。すなわち、制御部１２３は、取引内容表示部２４は、タッチパネルとして表示されている操作ボタンが操作されて、精算用ICコインが取り出されたか否かを判定する。例えば、ステップＳ７８において、精算用ICコインが取り出されていない場合、処理は、ステップＳ７９に進む。
【０１０６】
ステップＳ７９において、制御部１２３は、販売用ICコインの購入にあたり釣銭が存在するか否かを判定し、例えば、釣銭がある場合、ステップＳ８０において、紙幣処理装置６３の返却センサ６３ｂより返却された紙幣が取り出されているか否かを判定し、釣銭が抜き取られたか否かを判定する。例えば、釣銭が抜き取られたと判定された場合、その処理は、ステップＳ８１に進む。
【０１０７】
ステップＳ８１において、制御部１２３は、媒体処理装置６２に対して、販売用ICコインを排出口２６に排出させる。媒体処理装置６２は、この指示に基づいて、保持部材１０２を図６の矢印D方向に回転させ、販売用ICコインを払出口シュート８３に誘導し、排出口２６に排出させる。
【０１０８】
ステップＳ７８において、精算用ICコインが取り出されたと判定された場合、その処理は、ステップＳ８１に進む。また、ステップＳ７９において、釣銭がないと判定された場合、また、ステップＳ８０において、釣銭が抜き取られていないと判定された場合、その処理は、ステップＳ７８に戻る。
【０１０９】
すなわち、ステップＳ４４の処理によりコインホッパ６１より販売用のICコインが排出される前のタイミングで精算用ICコインが誤って投入された場合、後から投入された精算用ICコインを排出させた後、精算用ICコインが取り出されたことが確認されるまで、販売用ICコインを排出させないようにしたので、順次処理により精算用ICコインが排出されたか、販売用ICコインが排出されたのか判定できないといった状況の発生を抑制することが可能となる。尚、この処理においては、販売用ICコインの購入にあたり、釣銭がある場合は、その釣銭が抜き取られたタイミングを持って、後から投入された精算用ICコインが取り出されているものとみなして、販売用ICコインが排出されるようにしている。結果として、精算用ICコインを取り出したことを示す操作を省きつつ、精算用ICコインが排出されたか、販売用ICコインが排出されたのか判定できないといった状況の発生を抑制することが可能となる。
【０１１０】
一方、ステップＳ４７において、販売用ICコインの金額が選択された後、販売用ICコインへの金額情報が記録される前のタイミングで、精算用ICコインが投入されたと判定された場合、ステップＳ９１（図１５）において、制御部１２３は、媒体処理装置６２を制御して、処理を停止させ、精算用ICコイン、および販売用ICコインのいずれをも保持させる。
【０１１１】
ステップＳ９２において、制御部１２３は、取引内容表示部２４を制御して、エラーが発生したことを発報する。ステップＳ９３において、制御部１２３は、前扉２９が開放されたか否かを判定し、開放されていないと判定された場合、その処理は、ステップＳ９２に戻る。すなわち、エラーが発生した後、前扉２９が開放されるまで、ステップＳ９２，Ｓ９３の処理が繰り返される。
【０１１２】
ステップＳ９３において、前扉２９が開放されたと判定された場合、ステップＳ９４において、制御部１２３は、取引内容表示部２４を制御して、エラーを解除するためのガイダンスメッセージを表示させる。すなわち、今の場合、媒体処理装置６２内には販売用ICコインおよび精算用ICコインがいずれも存在しているはずであるが、いずれも見分けがつかない状態となっているので、その旨を通知する画面を表示する。
【０１１３】
ステップＳ９５において、制御部１２３は、エラーリセットボタン２７が操作されたか否かを判定し、エラーリセットボタン２７が操作されていないと判定された場合、その処理は、ステップＳ９４に戻る。ステップＳ９４において、エラーリセットボタン２７が操作されたと判定された場合、ステップＳ９６において、制御部１２３は、媒体処理装置６２に問い合わせて、販売用ICコインまたは精算用ICコインが残されているか否かを判定し、残されていると判定された場合、その処理は、ステップＳ９４に戻る。
【０１１４】
すなわち、エラーが検出されてからはエラーリセットボタン２７が操作されて、販売用ICコインまたは精算用ICコインが残されていない状態になるまで、ガイダンスメッセージが表示され続けることになる。
【０１１５】
ステップＳ９６において、販売用ICコインまたは精算用ICコインが残されていないと判定された場合、ステップＳ９７において、制御部１２３は、取引内容表示部２４を制御して、ガイダンスメッセージを終了し、前扉２９を閉めるように促す画面を表示する。
【０１１６】
ステップＳ９８において、制御部１２３は、前扉２９の図示せぬセンサに問合せ、前扉２９が閉じられたか否かを判定し、前扉２９が閉められていないと判定された場合、処理はステップＳ９７に戻る。すなわち、前扉２９が閉められるまで、前扉２９を閉めるように促す画面が表示され続けることになる。
【０１１７】
ステップＳ９８において、前扉２９が閉じられたと判定された場合、その処理は、終了する。
【０１１８】
すなわち、ステップＳ４７において、販売用ICコインの金額が選択された後、販売用ICコインへの金額情報が記録される前のタイミングで、精算用ICコインの投入が検出された場合、コインホッパ６１から排出された販売用ICコインも媒体処理装置６２に供給されているので、媒体処理装置６２内には、順序が不明の状態で、精算用ICコインと販売用ICコインとがいずれも保持された状態となる。そこで、このような場合、制御部１２３は、エラーを発報し、係員により精算用ICコインと販売用ICコインとがいずれも除去するように促す。結果として、遊技者が、順次処理により精算用ICコインと販売用ICコインとを間違えるといった状況を回避することが可能となる。
【０１１９】
ステップＳ５０において、精算用ICコインが投入されたと判定された場合、ステップＳ１１１（図１６）において、制御部１２３は、媒体処理装置６２に対して、販売用ICコインを排出口２６に排出させる。媒体処理装置６２は、この指示に基づいて、保持部材１０２を図６の矢印D方向に回転させ、販売用ICコインを払出口シュート８３に誘導し、排出口２６に排出させる。
【０１２０】
ステップＳ１１２において、制御部１２３は、媒体処理装置６２を制御して、精算用ICコインを保持させる。ステップＳ１１３において、制御部１２３は、取引内容表示部２４を制御して、エラーを発報し、エラーが発生していることを表示させる。ステップＳ１１４において、制御部１２３は、エラーリセットボタン２７が操作されたか否かを判定し、操作されていないと判定された場合、その処理は、ステップＳ１１３に戻る。すなわち、エラーリセットボタン２７が操作されるまで、ステップＳ１１３，Ｓ１１４の処理が繰り返される。
【０１２１】
ステップＳ１１４において、エラーリセットボタン２７が操作された場合、ステップＳ１１５において、制御部１１５は、媒体処理装置６２を制御して、保持されている精算用ICコインを排出口２６に排出させる。
【０１２２】
以上の処理により、排出口には、販売用ICコインが排出された後にエラーが発報されることになるため、排出口にエラーとみなされた精算用ICコインが排出されないので、排出口２６に販売用ICコインとエラーとみなされた精算用ICコインとが混在することがなくなり、遊技者の混乱を抑制することが可能となる。
【０１２３】
本発明によれば、精算装置と販売装置とを小型に一体化するため、ICコインの処理部を共用させつつ、精算装置と販売装置との通路にそれぞれセンサを設け、同時投入に代表される一体化させた場合に固有に発生する異常処理に対応させるようにすると共に、排出口に目的の違う媒体（例えば、上述した販売用ICコインと精算用ICコイン）が連続して排出されないようにすることで、小型で異常処理及び不正を防止する精算装置と販売装置とを一体化することが可能となる。
【０１２４】
上述した一連の処理は、ハードウェアにより実行させることもできるが、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２５】
図１７は、図１０に示した機能を有する精算販売機１のハードウェアの構成例を表している。CPU（Central Processing Unit）２０１は、ROM（Read Only Memory）２０２に記憶されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１２６】
CPU２０１、ROM２０２、およびRAM２０３は、バス２０４を介して相互に接続されている。このバス２０４にはまた、入出力インタフェース２０５も接続されている。
【０１２７】
入出力インタフェース２０５には、キーボード、マウスなどよりなる入力部２０６、CRT，LCDなどよりなるディスプレイ、並びにスピーカなどよりなる出力部２０７、ハードディスクなどより構成される記憶部２０８、モデム、ターミナルアダプタなどより構成される通信部２０９が接続されている。通信部２０９は、インターネットなどに代表されるネットワークを介しての通信処理を行う。
【０１２８】
入出力インタフェース２０５には、また、必要に応じてドライブ２１０が接続され、磁気ディスク２２１、光ディスク２２２、光磁気ディスク２２３、或いは半導体メモリ２２４などが適宜装着され、それらから読み出されたコンピュータプログラムが、必要に応じて記憶部２０８にインストールされる。
【０１２９】
この記録媒体は、図１７に示す装置では、コンピュータとは別に、ユーザにプログラムを提供するために配布される、プログラムが記録されている磁気ディスク２２１（フレキシブルディスクを含む）、光ディスク２２２（CD-ROM(Compact Disc-Read Only Memory)，DVD(Digital Versatile Disc)を含む）、光磁気ディスク２２３（MD（Mini-Disc）を含む）、もしくは半導体メモリ２２４などよりなるパッケージメディアにより構成されるだけでなく、装置に予め組み込まれた状態でユーザに提供される、プログラムが記録されているROM２０２や、記憶部２０８に含まれるハードディスクなどで構成される。
【０１３０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１３１】
なお、本発明の実施の形態は、上述した実施の形態に限定されるものではなく、本発明の要旨を逸脱しない範囲において種々の変更が可能である。
【図面の簡単な説明】
【０１３２】
【図１】本発明に係るICコインの精算販売機の一実施の形態の構成を示す外観斜視図である。
【図２】図１の精算販売機の内部の構成について説明する図である。
【図３】図１の精算販売機の内部における精算用ICコイン投入口、コインホッパ、媒体処理装置、および排出口の周辺部を抽出した図である。
【図４】図１の精算販売機の内部における精算用ICコイン投入口、コインホッパ、媒体処理装置、および排出口の周辺部を抽出した図である。
【図５】図１の精算販売機の内部における精算用ICコイン投入口、コインホッパ、媒体処理装置、および排出口の周辺部を抽出した図である。
【図６】媒体処理装置の構成を示す図である。
【図７】従来の精算販売機の構成を示す図である。
【図８】従来の精算販売機のメンテナンス方法を説明する図である。
【図９】本発明を適用した精算販売機のメンテナンス方法を説明する図である。
【図１０】図１の精算販売機により実現される機能を説明する機能ブロック図である。
【図１１】販売精算処理を説明するフローチャートである。
【図１２】精算処理を説明するフローチャートである。
【図１３】販売処理を説明するフローチャートである。
【図１４】販売処理を説明するフローチャートである。
【図１５】販売処理を説明するフローチャートである。
【図１６】販売処理を説明するフローチャートである。
【図１７】媒体を説明する図である。
【符号の説明】
【０１３３】
１  精算販売機
２１  紙幣投入口
２２  紙幣返却口
２３  販売取引選択部
２４  取引内容表示部
２５  精算用ICコイン投入部
２６  排出口
６１  コインホッパ
６１ａ  センサ
６２  媒体処理装置
６２ａ  センサ
６３  紙幣処理装置
６３ａ  投入センサ
６３ｂ  返却センサ
１２１  回収箱
１２２  センサ
１２３  制御部
１２３ａ  タイマ
【図１】
2007025847.tif 000003
【図２】
2007025847.tif 000004
【図３】
2007025847.tif 000005
【図４】
2007025847.tif 000006
【図５】
2007025847.tif 000007
【図６】
2007025847.tif 000008
【図７】
2007025847.tif 000009
【図８】
2007025847.tif 000010
【図９】
2007025847.tif 000011
【図１０】
2007025847.tif 000012
【図１１】
2007025847.tif 000013
【図１２】
2007025847.tif 000014
【図１３】
2007025847.tif 000015
【図１４】
2007025847.tif 000016
【図１５】
2007025847.tif 000017
【図１６】
2007025847.tif 000018
【図１７】
2007025847.tif 000019